(57)【特許請求の範囲】
【請求項１】
各々磁気流体活性化装置（Ａ１），（Ａ２）が収容される２つのホルダ（２），（３）と、該ホルダ（２），（３）を、磁気流体活性化装置（Ａ１），（Ａ２）の作用側が向かい合うように、両ホルダ（２），（３）を対向して連結する連結手段（４）と、連結状態のホルダ（２），（３）の位置決めを行う位置決め機構とからなり、連結手段（４）が、一方のホルダ（２）側から突設されたアーム（６），（７）と、他方のホルダ（３）側に設けられ、上記アーム（６），（７）が挿入される挿入孔（８），（９）とからなり、位置決め機構が、アーム（６）に形成された歯部（２９）と、挿入孔（８）側のホルダ（３）に設けられるフック（２２）とを備え、アーム（６）の挿入孔（８）への挿入を許容し、且つアーム（６）の挿入孔（８）からの抜けを規制するラチェットからなり、両磁気流体活性化装置（Ａ１），（Ａ２）が流動体が流通するパイプ（Ｐ）に接し、該パイプ（Ｐ）を挟持する状態で両ホルダ（２），（３）を位置決めすることにより、上記パイプ（Ｐ）に磁気流体活性化装置（Ａ１），（Ａ２）を装着する磁気流体活性化装置の取付ユニットにおいて、フック（２２）が、ホルダ（３）に収容された磁気流体活性化装置（Ａ２）の磁力によって、歯部（２９）と係合するように付勢される磁気流体活性化装置の取付ユニット。
【請求項２】
連結手段（４）を構成するアーム（６），（７）と挿入孔（８），（９）を、各々対応するホルダ（２），（３）における磁気流体活性化装置（Ａ１），（Ａ２）を挟んだ両側に設け、挿入孔（８）側のホルダ（３）と一方のアーム（６）との間に、ラチェットからなる位置決め機構を構成して設けた請求項１の磁気流体活性化装置の取付ユニット。
【請求項３】
フック（２２）と歯部（２９）との係合を解除する解除機構を、フック（２２）を磁力に抗して揺動させるようにフック（２２）側を押す解除ボタン（２８）とした請求項１又は２の磁気流体活性化装置の取付ユニット。
【請求項４】
２つの磁気流体活性化装置（Ａ１），（Ａ２）を、互いに磁力が反発するように各ホルダ（２），（３）に挿入する請求項１又は２又は３の磁気流体活性化装置の取付ユニット。
【発明の詳細な説明】
【技術分野】
【０００１】
本発明は、磁気流体活性化装置をパイプ等に装着する磁気流体活性化装置の取付ユニットに関する。
【背景技術】
【０００２】
本願出願人は、特許文献１に示されるように、流動体が流通するパイプに磁気流体活性化装置を装着するためのユニット（取付ユニット）を出願している。この取付ユニットは、各々磁気流体活性化装置が収容される２つのホルダを備えてなる。両ホルダは、磁気流体活性化装置の作用面側が向かい合うように、連結手段によって連結されている。
【０００３】
連結状態の両ホルダは位置決め機構によって位置決めされる。両磁気流体活性化装置が上記パイプを挟持する状態で位置決め機構によって両ホルダを位置決めすることにより、パイプに磁気流体活性化装置を装着する。
【０００４】
位置決め機構は、連結手段を構成するアームと一方のホルダとの間に形成されるラチェットからなる。該ラチェットは、アームに形成される歯部にホルダ側に設けられるフックが係合する構成となっている。上記ラチェットは、ホルダ側に設けられている鍵穴に鍵を挿入して回転させることによって、フックと歯部との係合が解除される。
【０００５】
上記のように磁気流体活性化装置をパイプに装着した状態からラチェット（フックと歯部との係合）を解除することによって、磁気流体活性化装置をパイプより取り外すことができる。つまり当該取付ユニットは、磁気流体活性化装置をパイプに鍵をかけた状態で装着することができ、屋外等のセキュリティが低い場所において磁気流体活性化装置の盗難を防止することができる。
【特許文献１】特開２００１−３２７９７２号公報
【発明の開示】
【発明が解決しようとする課題】
【０００６】
上記特許文献１に記載の取付ユニットは、屋外等のセキュリティが低い場所に磁気流体活性化装置を取り付ける場合に非常に有効であるが、室内や別途鍵付きのボックス内等に磁気流体活性化装置を取り付ける場合は、既に一定のセキュリティが維持されているため、盗難防止の鍵の紛失等によって磁気流体活性化装置をパイプ等から取り外すことができなくなるというリスクが高くなるという欠点があった。
【課題を解決するための手段】
【０００７】
上記課題を解決するための本発明の磁気流体活性化装置の取付ユニットは、各々磁気流体活性化装置Ａ１，Ａ２が収容される２つのホルダ２，３と、該ホルダ２，３を、磁気流体活性化装置Ａ１，Ａ２の作用側が向かい合うように、両ホルダ２，３を対向して連結する連結手段４と、連結状態のホルダ２，３の位置決めを行う位置決め機構とからなり、連結手段４が、一方のホルダ２側から突設されたアーム６，７と、他方のホルダ３側に設けられ、上記アーム６，７が挿入される挿入孔８，９とからなり、位置決め機構が、アーム６に形成された歯部２９と、挿入孔８側のホルダ３に設けられるフック２２とを備え、アーム６の挿入孔８への挿入を許容し、且つアーム６の挿入孔８からの抜けを規制するラチェットからなり、両磁気流体活性化装置Ａ１，Ａ２が流動体が流通するパイプＰに接し、該パイプＰを挟持する状態で両ホルダ２，３を位置決めすることにより、上記パイプＰに磁気流体活性化装置Ａ１，Ａ２を装着する磁気流体活性化装置の取付ユニットにおいて、フック２２が、ホルダ３に収容された磁気流体活性化装置Ａ２の磁力によって、歯部２９と係合するように付勢されることを第１の特徴としている。
【０００８】
第２に連結手段４を構成するアーム６，７と挿入孔８，９を、各々対応するホルダ２，３における磁気流体活性化装置Ａ１，Ａ２を挟んだ両側に設け、挿入孔８側のホルダ３と一方のアーム６との間に、ラチェットからなる位置決め機構を構成して設けたことを特徴としている。
【０００９】
第３にフック２２と歯部２９との係合を解除する解除機構を、フック２２を磁力に抗して揺動させるようにフック２２側を押す解除ボタン２８としたことを特徴としている。
【００１０】
第４に２つの磁気流体活性化装置Ａ１，Ａ２を、互いに磁力が反発するように各ホルダ２，３に挿入することを特徴としている。
【発明の効果】
【００１１】
以上のように構成される本発明の構造によると、位置決めが解除された状態の両ホルダをパイプを挟んで配置し、両ホルダに収容された磁気流体活性化装置がパイプに接してパイプを挟持するまでアームを挿入孔に挿入することによって、２つの磁気流体活性化装置を容易にパイプに装着することができるという効果がある。
【００１２】
フックは、磁気流体活性化装置の磁力によって、歯部と係合するように付勢されるため、フックを歯部と係合するように付勢する専用の付勢部材、例えばスプリング等が不要となり、位置決め機構（ラチェット）を簡単に構成することができるという利点もある。
【００１３】
連結手段を構成するアームと挿入孔を、各々対応するホルダにおける磁気流体活性化装置を挟んだ両側に設け、一方のアームと挿入孔側のホルダとの間に、ラチェットからなる位置決め機構を構成して設けることによって、両ホルダの連結と分離を簡単に行うことができる他、一方のアーム側にのみ形成されるラチェットによって、両ホルダの位置決めと位置決め解除を簡単に行うことができるという利点もある。
【００１４】
フックと歯部との係合を解除する解除機構を、フックを磁力に抗して揺動させるようにフック側を押す解除ボタンとすることにより、ラチェット（フックと歯部の係合）の解除機構を簡単に構成することができる他、解除ボタンによりフック側を押すことによって、鍵等を用いることなく、簡単にラチェットの解除を行うことができ、鍵の紛失等によって磁気流体活性化装置の取り外しができなくなる等の不都合を防止できる。
【００１５】
各ホルダに２つの磁気流体活性化装置が、互いに磁力が反発するように挿入されると、両ホルダは磁力によってアームが挿入孔から抜ける方向に付勢される。この付勢力によって歯部とフックとのがたが吸収され、磁気流体活性化装置を、パイプにがたなく安定して取付けることができる。
【発明を実施するための最良の形態】
【００１６】
図１は、磁気流体活性化装置が取り付けられた状態の本発明の取付ユニット１を流体が流通するパイプ（水道管等）Ｐに取り付けた状態を示す斜視図である。本取付ユニット１は、２つの磁気流体活性化装置Ａ１，Ａ２を収容する。磁気流体活性化装置Ａ１，Ａ２を、両磁気流体活性化装置Ａ１，Ａ２によってパイプＰを挟持するように、パイプＰに装着する。
【００１７】
該磁気流体活性化装置Ａ１，Ａ２は、図２に示されるように、１００００〜１２０００ガウス程度の磁石Ｍと、該磁石Ｍの両極側に取り付けられて対向する２つのコンセントレータＣとを備えている。コンセントレータＣは、磁石Ｍに磁力によって装着されている。磁気流体活性化装置Ａ１，Ａ２は、磁石ＭにコンセントレータＣが装着されたユニットが、ケースＢに収容されて構成されている。
【００１８】
本磁気流体活性化装置Ａ１，Ａ２は、一方のコンセントレータＣがＮ極に、他方のコンセントレータＣがＳ極をなす。両コンセントレータＣの間に流体が流通するパイプを配置すると、両極間に発生する磁力によってパイプ内を流通する流体を活性化する。
【００１９】
本取付ユニット１を使用して、図１に示されるように、各磁気流体活性化装置Ａ１，Ａ２の各々両コンセントレータＣの間にパイプＰを位置させて、両磁気流体活性化装置Ａ１，Ａ２によってパイプＰを挟持することにより、パイプ内を流通する流体を効率よく活性化することができる。本磁気流体活性化装置Ａ１，Ａ２は、従来公知のものであるため、詳細な説明は割愛する。
【００２０】
本取付ユニット１は、各磁気流体活性化装置Ａ１，Ａ２を各々収容する２つのホルダ２，３と、両ホルダ２，３を連結する連結手段４と、連結手段４による連結状態の両ホルダ２，３の位置決めを行う位置決め機構とからなる。
【００２１】
図３，図４に示されるように、上記連結手段４は、一方のホルダ２から突設されたプレート状の２つのアーム６，７と、他方のホルダ３に形成され、上記アーム６，７が各々挿入される挿入孔８，９とからなる。図１に示されるように、両ホルダ２，３を対向させ、アーム６，７を挿入孔８，９に挿入することによって両ホルダ２，３が連結される。
【００２２】
上記両方のホルダ２，３は、大幅部分と小幅部分とが滑らかに連続するダルマ状の端面を備えた柱状体からなる。両ホルダ２，３の大幅部分の一端面側には、切欠き部１１が形成されている。切欠き部１１は凹状にくり抜かれている。凹状にくり抜かれた凹部１２に、磁気流体活性化装置Ａ１，Ａ２が収容される。
【００２３】
磁気流体活性化装置Ａ１，Ａ２と凹部１２の内端面との間には、圧縮バネ１３，１４が介設される。図５に示されるように、磁気流体活性化装置Ａ１，Ａ２の凹部１２への収容状態において、圧縮バネ１３，１４によって磁気流体活性化装置Ａ１，Ａ２と凹部１２の端面との間にはスペースＳが形成される。磁気流体活性化装置Ａ１，Ａ２は、コンセントレータＣのパイプＰとの当接面Ｃ１が凹部１２から突出するように、切欠き部１１側に寄った状態で凹部１２に収容される。
【００２４】
上記２本のアーム６，７は、ホルダ２の切欠き部１１を挟んで平行に設けられている。上記２つの挿入孔８，９は、ホルダ３の切欠き部１１を挟んで平行に設けられている。上記ホルダ３の小幅部分には、後述するフックユニット１６を収容する半円筒形状のフックユニット収容孔１７が設けられている。フックユニット収容孔１７は、一方の挿入孔８に沿って設けられている。フックユニット収容孔１７と挿入孔８とは、積層状態でつながっている。
【００２５】
上記フックユニット１６は、フックユニット収容孔１７に収容される半円柱のユニットケース１８を備えている。図５，図６に示されるように、ユニットケース１８の底面には、溝１９が形成されている。溝１９は、ユニットケース１８の長手方向に延出している。
【００２６】
溝１９内には、フック杆２１が揺動自在に軸支されている。フック杆２１は磁性体金属からなる。フック杆２１の一端側にフック２２が形成されている。フック２２は、溝１９の開口側に向かって突出している。フック杆２１の他端側にはウェイト２３が形成されている。
【００２７】
ユニットケース１８は、フック２２側がホルダ３の切欠き部１１側となるように、フックユニット収容孔１７に挿入される。フック杆２１の揺動支点軸２４は、フック２２とウェイト２３との間に設けられている。揺動支点（揺動支点軸２４の軸心）の位置は、フック杆２１の自由状態においてウェイト２３側が挿入孔８側に向かって下がるように設定されている。
【００２８】
ただし前述のように磁気流体活性化装置Ａ２がホルダ３に収容されている場合、磁気流体活性化装置Ａ２がホルダ３の切欠き部１１側に寄った状態となるため、磁気流体活性化装置Ａ２の磁力によってフック杆２１はフック２２側が引かれ、図５に示されるように、フック２２側が挿入孔８側に向かって下がった状態に付勢される。これによりフック２２は挿入孔８内に突出した状態に弾力的に姿勢維持される。
【００２９】
これに対してユニットケース１８の周面の後端寄りには、フック杆２１を操作する操作ロッド２６がスライド自在に挿入されている。図７に示されるように、操作ロッド２６をフック杆２１側に突出させることによって、操作ロッド２６の端部でフック杆２１の揺動支点よりウェイト２３側を挿入孔８に向かって押すことができる。
【００３０】
これによってフック杆２１をウェイト２３側が下がるように強制的に位置決めすることができる。上記のように操作ロッド２６によってフック杆２１を強制的に位置決めすることによって、フック杆２１をフック２２が挿入孔８内に突出しない状態に維持することができる。
【００３１】
操作ロッド２６のフック杆２１側の端部には、フック杆２１との当接部２７が設けられている。操作ロッド２６の他端には、操作ボタン２８が取り付けられている。操作ボタン２８はホルダ３の周面から裸出している。ホルダ３の周面から操作ボタン２８を押し込むことによって、操作ロッド２６をフック杆２１側に突出させる操作を行うことができる。
【００３２】
フックユニット１６側の挿入孔８に挿入されるアーム６のフック２２側の周面には、鋸歯状断面をなす歯部２９が形成されている。図８に示されるように、該歯部２９と挿入孔８内に弾力的に突出した状態のフック２２とによってラチェット機構が構成される。歯部２９とフック２２とからなるラチェット機構は、アーム６の挿入孔８への挿入の継続を許容し、アーム６の挿入孔８からの脱抜を規制する。
【００３３】
このため両ホルダ２，３を連結するためにアーム６を挿入孔８に挿入し、任意の位置で挿入を停止すると、上記ラチェット機構によりアーム６の挿入孔８からの抜けが規制され、アーム６の位置が挿入孔８側のホルダに対して位置決めされ、両ホルダ２，３が連結状態で位置決めされる。
【００３４】
上記ラチェット機構が、挿入孔８に挿入されたアーム６のホルダ３に対する位置決めによって両ホルダ２，３の位置決めを行う位置決め機構を構成している。この位置決め機構によって、両ホルダ２，３が連結状態で位置決めされる。
【００３５】
両ホルダ２，３間の距離は、アーム６の挿入孔８への挿入長さによって決まる。ただしこの状態からでも両ホルダ２，３が近づく方向（アーム６を挿入孔８に挿入する方向）への押し込みは自由である。
【００３６】
両ホルダ２，３が連結位置決めされた状態からホルダ３の周面より操作ボタン２８を押し込み、操作ロッド２６をフック杆２１側に突出させ、フック杆２１をフック２２が挿入孔８内に突出しない姿勢に強制的に維持することによって、フック２２と歯部２９との噛み合いが解除されるため、アーム６の挿入孔８からの脱抜が許容される。
【００３７】
上記のように操作ボタン２８を押し込むことによって、両ホルダ２，３間の距離を広げて位置決めしなおしたり、両ホルダ２，３を分離させること等ができる。
【００３８】
磁気流体活性化装置Ａ１，Ａ２を、両ホルダ２，３の連結状態において、磁力によって互いに反発するように両ホルダ２，３に収容することによって、両ホルダ２，３は連結状態でアーム６が挿入孔８から脱ける方向に付勢され、歯部２９とフック２２とのがたが解消される。
【００３９】
両磁気流体活性化装置Ａ１，Ａ２の互いに対向するコンセントレータＣを同極とすることによって、磁気流体活性化装置Ａ１，Ａ２を磁力によって互いに反発させることができる。これにより両ホルダ２，３はがたなく安定して連結される。上記ラチェット機構（歯部２９とフック２２）は、上記のように磁力による両ホルダ２，３の分離方向にかかる荷重によって係合が解除されないように構成されている。
【００４０】
本取付ユニット１は以上のように構成されており、分離状態の両ホルダ２，３をパイプＰを挟んで配置し、両磁気流体活性化装置Ａ１，Ａ２がパイプＰに接してパイプＰを挟持するまでアーム６，７を挿入孔８，９に挿入することにより、位置決め機構によって両ホルダ２，３が位置決めされ、２つの磁気流体活性化装置Ａ１，Ａ２をパイプに簡単に装着することができる。
【００４１】
フック２２は、磁気流体活性化装置Ａ２の磁力によって、歯部２９と係合するように付勢されるため、フック２２を歯部２９と係合するように付勢する専用の付勢部材、例えばスプリング等が不要となり、位置決め機構（ラチェット機構）の構造を簡単にし、コストを抑えることができる。
【００４２】
フック２２と歯部２９との係合を解除する解除機構は、フック２２を磁力に抗して揺動させる操作ロッド２６によって簡単に構成することができる。特に解除の操作は操作ロッド２６に設けた解除ボタン２８を押すだけであるため、鍵等を用いることなく、簡単にラチェット機構の解除を行うことができ、鍵の紛失等によって磁気流体活性化装置の取り外しができなくなる等の不都合を防止できる。
【００４３】
ただし本取付ユニット１は鍵がかからないため、防犯の機能は備えておらず、このため室内や別途鍵付きのボックス内等の既に一定のセキュリティが維持されている場所に磁気流体活性化装置を取り付けることが望ましい。
【００４４】
両ホルダ２，３におけるラチェット機構側の反対側の端部には、段部３１が形成されている。該段部３１を接地させて、本取付ユニット１を起立状態に載置することができる。これにより本取付ユニット１は、設置前に床等に載置された場合の転倒が防止され、載置状態が安定する。
【図面の簡単な説明】
【００４５】
【図１】磁気流体活性化装置が取り付けられた状態の本取付ユニットをパイプに取り付けた状態を示す斜視図である。
【図２】磁気流体活性化装置の斜視図である。
【図３】一方のホルダの分解斜視図である。
【図４】他方のホルダの分解斜視図である。
【図５】磁気流体活性化装置が取り付けられ、両ホルダが連結された状態の本取付ユニットの側要部断面図である。
【図６】フックユニットの底面斜視図である。
【図７】フックユニットの側断面図である。
【図８】ラチェット機構の作動を示すフックユニット部分の要部側断面図である。
【符号の説明】
【００４６】
２    ホルダ
３    ホルダ
４    連結手段
６    アーム
７    アーム
８    挿入孔
９    挿入孔
２２  フック
２９  歯部
Ａ１  磁気流体活性化装置
Ａ２  磁気流体活性化装置
【図１】
0004516036.tif 000002
【図２】
0004516036.tif 000003
【図３】
0004516036.tif 000004
【図４】
0004516036.tif 000005
【図５】
0004516036.tif 000006
【図６】
0004516036.tif 000007
【図７】
0004516036.tif 000008
【図８】
0004516036.tif 000009